(57)【要約】【課題】使い勝手のよい電子機器を提供する。【解決手段】電子機器は、第１撮像領域及び第２撮像領域を有する撮像部と、外部機器から操作情報を取得する取得部と、前記取得部により取得した前記操作情報に基づいて、前記第１撮像領域の撮像条件と前記第２撮像領域の撮像条件との少なくとも一方を設定する制御部と、を備えている。【選択図】図１
2019004520.tif 000002
【特許請求の範囲】
【請求項１】
第１撮像領域及び第２撮像領域を有する撮像部と、
外部機器から操作情報を取得する取得部と、
前記取得部により取得した前記操作情報に基づいて、前記第１撮像領域の撮像条件と前記第２撮像領域の撮像条件との少なくとも一方を設定する制御部と、
を備える電子機器。
【請求項２】
ユーザからの入力に基づいて、前記制御部による前記操作情報に基づく撮像条件の設定を制限する制限部を備える請求項１に記載の電子機器。
【請求項３】
前記撮像部により撮像された画像を前記外部機器に送信する送信部を備える請求項１又は２に記載の電子機器。
【請求項４】
前記撮像部を複数備え、
前記送信部は、複数の前記撮像部で撮像された画像を合成して、前記外部機器に送信することを特徴とする請求項３に記載の電子機器。
【請求項５】
前記取得部は、前記送信部が前記外部機器に送信し、該外部機器において表示された画像に対して入力された操作情報を受け付けることを特徴とする請求項３又は４に記載の電子機器。
【請求項６】
前記第１撮像領域は、被写体を撮像する領域であり、前記第２撮像領域は前記第１撮像領域の周辺の領域であることを特徴とする請求項１〜５のいずれか一項に記載の電子機器。
【請求項７】
前記制御部は、前記第１撮像領域の大きさに応じて前記第１撮像領域の撮像条件を変更することを特徴とする請求項６に記載の電子機器。
【請求項８】
前記制御部は、前記第１撮像領域の画像を前記外部機器において表示する大きさに応じて、前記第１撮像領域の撮像条件を変更することを特徴とする請求項６又は７に記載の電子機器。
【請求項９】
前記第１撮像領域を複数有し、
前記制御部は、複数の前記第１撮像領域それぞれに設定された優先順位に応じて、前記撮像条件を変更することを特徴とする請求項６〜８のいずれか一項に記載の電子機器。
【請求項１０】
前記制御部は、複数の前記第１撮像領域それぞれに含まれる被写体の状態に応じて前記優先順位を設定することを特徴とする請求項９に記載の電子機器。
【請求項１１】
前記制御部は、前記第１撮像領域のフレームレートと、前記第２撮像領域のフレームレートとを異ならせることを特徴とする請求項１〜１０のいずれか一項に記載の電子機器。
【請求項１２】
前記制御部は、前記第１撮像領域のゲインと、前記第２撮像領域のゲインとを異ならせることを特徴とする請求項１〜１１のいずれか一項に記載の電子機器。
【請求項１３】
前記制御部は、前記第１撮像領域の蓄積時間と、前記第２撮像領域の蓄積時間とを異ならせることを特徴とする請求項１〜１２のいずれか一項に記載の電子機器。
【請求項１４】
請求項１〜１３のいずれか一項に記載の電子機器と、
前記電子機器と通信可能な外部機器と、を備える電子機器システム。
【発明の詳細な説明】
【技術分野】
【０００１】
本発明は、電子機器及び電子機器システムに関する。
【背景技術】
【０００２】
従来、撮像チップと信号処理チップが、マイクロバンプを介して接続された積層型撮像素子が知られている（例えば、特許文献１参照）。
【先行技術文献】
【特許文献】
【０００３】
【特許文献１】特開２００６−４９３６１号公報
【発明の概要】
【発明が解決しようとする課題】
【０００４】
しかしながら、従来の積層型撮像素子を備えた電子機器において、複数のブロック単位毎に撮像して画像を取得する提案は多くなく、積層型撮像素子を備えた電子機器の使い勝手が十分ではなかった。
【０００５】
本発明は上記の課題に鑑みてなされたものであり、使い勝手のよい電子機器及び電子機器システムを提供することを目的とする。
【課題を解決するための手段】
【０００６】
本発明の電子機器（１１０）は、第１撮像領域（１１３ａ）及び第２撮像領域（１１３ｂ）を有する撮像部（１１３）と、外部機器（１０）から操作情報を取得する取得部（１２４、１３０）と、前記取得部により取得した前記操作情報に基づいて、前記第１撮像領域の撮像条件と前記第２撮像領域の撮像条件との少なくとも一方を設定する制御部（１３０）と、を備えている。
【０００７】
この場合において、ユーザからの入力に基づいて、前記制御部による前記操作情報に基づく撮像条件の設定を制限する制限部（１３０）を備えていてもよい。また、前記撮像部により撮像された画像を前記外部機器に送信する送信部（１２４、１３０）を備えていてもよい。この場合、前記撮像部を複数備え、前記送信部は、複数の前記撮像部（１１２，１１４）で撮像された画像を合成して、前記外部機器に送信することとしてもよい。また、前記取得部は、前記送信部が前記外部機器に送信し、該外部機器において表示された画像に対して入力された操作情報を受け付けることとしてもよい。
【０００８】
また、本発明においては、前記第１撮像領域は、被写体を撮像する領域であり、前記第２撮像領域は前記第１撮像領域の周辺の領域であってもよい。この場合、前記制御部は、前記第１撮像領域の大きさに応じて前記第１撮像領域の撮像条件を変更することとしてもよい。また、前記制御部は、前記第１撮像領域の画像を前記外部機器において表示する大きさに応じて、前記第１撮像領域の撮像条件を変更することとしてもよい。更に、前記第１撮像領域を複数有し、前記制御部は、複数の前記第１撮像領域それぞれに設定された優先順位に応じて、前記撮像条件を変更することとしてもよい。この場合、前記制御部は、複数の前記第１撮像領域それぞれに含まれる被写体の状態に応じて前記優先順位を設定することとしてもよい。
【０００９】
また、本発明においては、前記制御部は、前記第１撮像領域のフレームレートと、前記第２撮像領域のフレームレートとを異ならせることとしてもよい。また、前記制御部は、前記第１撮像領域のゲインと、前記第２撮像領域のゲインとを異ならせることとしてもよい。また、前記制御部は、前記第１撮像領域の蓄積時間と、前記第２撮像領域の蓄積時間とを異ならせることとしてもよい。
【００１０】
本発明の電子機器システムは、本発明の電子機器（１１０）と、前記電子機器と通信可能な外部機器（１０）と、を備えている。
【００１１】
この場合において、前記外部機器は、本発明の電子機器であることとしてもよい。また、前記電子機器において前記第１撮像領域を複数有する場合に、前記外部機器は、複数の前記第１撮像領域に設定された優先順位に応じた表示を行うこととしてもよい。この場合、前記外部機器は、複数の前記第１撮像領域に設定された優先順位に応じて、表示する画像の大きさ、表示位置、画像に付記する文字、の少なくとも１つを制御することとしてもよい。また、本発明では、前記外部機器は、前記電子機器で撮像された画像を表示するとともに、前記操作情報の入力を受け付けるタッチパネル（２２）を有することとしてもよい。
【００１２】
なお、本発明をわかりやすく説明するために、上記においては一実施形態を表す図面の符号に対応つけて説明したが、本発明は、これに限定されるものではなく、後述の実施形態の構成を適宜改良しても良く、また、少なくとも一部を他の構成物に代替させても良い。更に、その配置について特に限定のない構成要件は、実施形態で開示した配置に限らず、その機能を達成できる位置に配置することができる。
【発明の効果】
【００１３】
本発明の電子機器及び電子機器システムは、使い勝手を向上することができるという効果を奏する。
【図面の簡単な説明】
【００１４】
【図１】第１の実施形態に係る電子機器システムの構成を示すブロック図である。
【図２】図２（ａ）は、電話機器を前面側から見た状態を示す図であり、図２（ｂ）は、電話機器を背面側から見た状態を示す図である。
【図３】裏面照射型のＭＯＳ型撮像素子の断面図である。
【図４】撮像チップの画素配列と単位グループを説明する図である。
【図５】画素の等価回路図を示す図である。
【図６】単位グループにおける画素の接続関係を示す回路図である。
【図７】電話機器間における通話時の処理を示すフローチャートである
【図８】図８（ａ）は、受信画面の一例を示す図であり、図８（ｂ）は、設定画面の一例を示す図である。
【図９】ステップＳ１３０（Ｓ２８）の詳細な処理を示すフローチャートである。
【図１０】第１の実施形態に関し、撮像素子における撮像条件の設定について説明するための図である。
【図１１】図１１（ａ）、図１１（ｂ）は、第１の実施形態において電話機器に表示される画面の一例を示す図（その１）である。
【図１２】図１２（ａ）、図１２（ｂ）は、第１の実施形態において電話機器に表示される画面の一例を示す図（その２）である。
【図１３】第１の実施形態において電話機器に表示される画面の一例を示す図（その３）である。
【図１４】第２の実施形態における電子機器システムの使用態様の一例を示す図である。
【図１５】図１５（ａ）は、ユーザＡが利用する電話機器における設定画面に対する入力例を示す図であり、図１５（ｂ）は、ユーザＢ〜Ｄが利用する電話機器における設定画面に対する入力例を示す図である。
【図１６】第２の実施形態に関し、撮像素子における撮像条件の設定について説明するための図である。
【図１７】図１７（ａ）、図１７（ｂ）は、第２の実施形態において電話機器に表示される画面の一例を示す図（その１）である。
【図１８】図１８（ａ）、図１８（ｂ）は、第２の実施形態において電話機器に表示される画面の一例を示す図（その２）である。
【図１９】第２の実施形態において電話機器に表示される画面の一例を示す図（その３）である。
【図２０】第３の実施形態における電子機器システムの使用態様の一例を示す図である。
【図２１】第３の実施形態における電子機器システムの構成を示すブロック図である。
【図２２】設定処理のフローチャートである。
【図２３】図２３（ａ）、図２３（ｂ）は、設定処理を説明するための図である。
【図２４】会議処理のフローチャートである。
【図２５】図２５（ａ）、図２５（ｂ）は、第３の実施形態において電話機器に表示される画面の一例を示す図（その１）である。
【図２６】第３の実施形態において電話機器に表示される画面の一例を示す図（その２）である。
【発明を実施するための形態】
【００１５】
《第１の実施形態》
以下、第１の実施形態に係る電子機器システムについて、図１〜図１３に基づいて、詳細に説明する。図１には、電子機器システム１００の構成がブロック図にて示されている。図１に示すように、電子機器システム１００は、複数の電話機器（図１では、２つの電話機器１０，１１０を図示）を備える（利用する）。
【００１６】
（電話機器１０）
電話機器１０は、携帯電話やスマートフォンなどであり、通話機能のほか、電子メールの作成・送受信機能やインターネット接続機能、スケジュール管理機能などを有する。電話機器１０は、図１に示すように、前面撮像部１２、背面撮像部１４、ディスプレイ１６、スピーカ１８、マイク２０、タッチパネル２２、記憶部２３、通信部２４、制御部３０等を備える。なお、図２（ａ）には、電話機器１０を前面側（ディスプレイ１６が存在する側）から見た状態が示され、図２（ｂ）には、電話機器１０を背面側から見た状態が示されている。
【００１７】
前面撮像部１２は、いわゆるインカメラであり、図２（ａ）に示すように、電話機器１０の前面側に設けられている。前面撮像部１２は、撮影レンズと、国際公開第２０１３／１４５７５３号に開示されているような各画素（画素群）の撮像条件を制御可能な撮像素子１３（図３参照）と、を有しており、動画や静止画などの撮像を行う。なお、撮像素子１３の各画素（画素群）において制御可能な撮像条件には、フレームレート、ゲイン、蓄積時間等の撮像条件が含まれる。
【００１８】
以下、撮像素子１３について、図３〜図６に基づいて、詳細に説明する。
【００１９】
図３は、本実施形態に係る裏面照射型の撮像素子１３の断面図である。撮像素子１３は、入射光に対応した画素信号を出力する撮像チップ５１３と、画素信号を処理する信号処理チップ５１１と、画素信号を記憶するメモリチップ５１２とを備える。これら撮像チップ５１３、信号処理チップ５１１およびメモリチップ５１２は積層されており、Ｃｕ等の導電性を有するバンプ５０９により互いに電気的に接続される。
【００２０】
なお、図示するように、入射光は主に白抜き矢印で示すＺ軸プラス方向へ向かって入射する。本実施形態においては、撮像チップ５１３において、入射光が入射する側の面を裏面と称する。また、座標軸に示すように、Ｚ軸に直交する紙面右方向をＸ軸プラス方向、Ｚ軸およびＸ軸に直交する紙面手前方向をＹ軸プラス方向とする。以降のいくつかの図においては、図３の座標軸を基準として、それぞれの図の向きがわかるように座標軸を表示する。
【００２１】
撮像チップ５１３の一例は、裏面照射型のＭＯＳイメージセンサである。ＰＤ層は、配線層５０８の裏面側に配されている。ＰＤ層５０６は、二次元的に配された複数のＰＤ（フォトダイオード）５０４、および、ＰＤ５０４に対応して設けられたトランジスタ５０５を有する。
【００２２】
ＰＤ層５０６における入射光の入射側にはパッシベーション膜５０３を介してカラーフィルタ５０２が設けられる。カラーフィルタ５０２は、互いに異なる波長領域を透過する複数の種類を有しており、ＰＤ５０４のそれぞれに対応して特定の配列を有している。カラーフィルタ５０２の配列については後述する。カラーフィルタ５０２、ＰＤ５０４およびトランジスタ５０５の組が一つの画素を形成する。
【００２３】
カラーフィルタ５０２における入射光の入射側には、それぞれの画素に対応して、マイクロレンズ５０１が設けられる。マイクロレンズ５０１は、対応するＰＤ５０４へ向けて入射光を集光する。
【００２４】
配線層５０８は、ＰＤ層５０６からの画素信号を信号処理チップ５１１に伝送する配線５０７を有する。配線５０７は多層であってもよく、また、受動素子および能動素子が設けられてもよい。
【００２５】
配線層５０８の表面には複数のバンプ５０９が配される。当該複数のバンプ５０９が信号処理チップ５１１の対向する面に設けられた複数のバンプ５０９と位置合わせされて、撮像チップ５１３と信号処理チップ５１１とが加圧等されることにより、位置合わせされたバンプ５０９同士が接合されて、電気的に接続される。
【００２６】
同様に、信号処理チップ５１１およびメモリチップ５１２の互いに対向する面には、複数のバンプ５０９が配される。これらのバンプ５０９が互いに位置合わせされて、信号処理チップ５１１とメモリチップ５１２とが加圧等されることにより、位置合わせされたバンプ５０９同士が接合されて、電気的に接続される。
【００２７】
なお、バンプ５０９間の接合には、固相拡散によるＣｕバンプ接合に限らず、はんだ溶融によるマイクロバンプ結合を採用しても良い。また、バンプ５０９は、例えば後述する一つの出力配線に対して一つ程度設ければ良い。したがって、バンプ５０９の大きさは、ＰＤ５０４のピッチよりも大きくても良い。また、画素が配列された画素領域以外の周辺領域において、画素領域に対応するバンプ５０９よりも大きなバンプを併せて設けても良い。
【００２８】
信号処理チップ５１１は、表裏面にそれぞれ設けられた回路を互いに接続するＴＳＶ（シリコン貫通電極）５１０を有する。ＴＳＶ５１０は、周辺領域に設けられることが好ましい。また、ＴＳＶ５１０は、撮像チップ５１３の周辺領域、メモリチップ５１２にも設けられて良い。
【００２９】
図４は、撮像チップ５１３の画素配列と単位グループ１３１を説明する図である。特に、撮像チップ５１３を裏面側から観察した様子を示す。画素領域には２０００万個以上もの画素がマトリックス状に配列されている。本実施形態においては、隣接する４画素×４画素の１６画素が一つのグループを形成する。図の格子線は、隣接する画素がグループ化されて単位グループ１３１を形成する概念を示す。
【００３０】
画素領域の部分拡大図に示すように、単位グループ１３１は、緑色画素Ｇｂ、Ｇｒ、青色画素Ｂおよび赤色画素Ｒの４画素から成るいわゆるベイヤー配列を、上下左右に４つ内包する。緑色画素Ｇｂ、Ｇｒは、カラーフィルタ５０２として緑色フィルタを有し、入射光のうち緑色波長帯の光を受光する。同様に、青色画素Ｂは、カラーフィルタ５０２として青色フィルタを有し、青色波長帯の光を受光し、赤色画素Ｒは、カラーフィルタ５０２として赤色フィルタを有し、赤色波長帯の光を受光する。
【００３１】
図５は、画素１５０の等価回路図を示す。上記複数の画素１５０の各々は、上記ＰＤ５０４、転送トランジスタ１５２、リセットトランジスタ１５４、増幅トランジスタ１５６および選択トランジスタ１５８を有する。これらのトランジスタの少なくとも一部は図３のトランジスタ５０５に対応する。さらに、画素１５０には、リセットトランジスタ１５４のオン信号が供給されるリセット配線３００、転送トランジスタ１５２のオン信号が供給される転送配線３０２、電源Ｖｄｄから電力の供給を受ける電源配線３０４、選択トランジスタ１５８のオン信号が供給される選択配線３０６、および、画素信号を出力する出力配線３０８が配される。以下、各トランジスタをｎチャンネル型ＦＥＴを例として説明するが、トランジスタの種類はこれに限られない。
【００３２】
転送トランジスタ１５２のソース、ゲート、ドレインはそれぞれ、ＰＤ５０４の一端、転送配線３０２、増幅トランジスタ１５６のゲートに接続される。また、リセットトランジスタ１５４のドレインは電源配線３０４に接続され、ソースは増幅トランジスタ１５６のゲートに接続される。増幅トランジスタ１５６のドレインは電源配線３０４に接続され、ソースは選択トランジスタ１５８のドレインに接続される。選択トランジスタ１５８のゲートは選択配線３０６に接続され、ソースは出力配線３０８に接続されている。負荷電流源３０９は、出力配線３０８に電流を供給する。すなわち、選択トランジスタ１５８に対する出力配線３０８は、ソースフォロアにより形成される。なお、負荷電流源３０９は、撮像チップ５１３側に設けても良いし、信号処理チップ５１１側に設けても良い。
【００３３】
図６は、単位グループ１３１における上記画素１５０の接続関係を示す回路図である。なお、図面を見やすくする目的で各トランジスタの参照番号を省略したが、図６の各画素の各トランジスタは、図５の画素１５０における対応する位置に配された各トランジスタと同じ構成および機能を有する。
【００３４】
図６に示す単位グループ１３１内で、同じ色のカラーフィルタ５０２を有する画素１５０が画素群を形成する。カラーフィルタ５０２が図４に示すようにＲＧＢの三種類であることに対応して、画素Ｇｂ１、Ｇｂ２、Ｇｂ３、Ｇｂ４、Ｇｒ１、Ｇｒ２、Ｇｒ３、Ｇｒ４の８画素がＧ画素群を形成する。同様に、画素Ｒ１、Ｒ２、Ｒ３、Ｒ４の４画素がＲ画素群を形成し、画素Ｂ１、Ｂ２、Ｂ３、Ｂ４の４画素がＢ画素群を形成する。すなわち、カラーフィルタ５０２を透過する波長領域毎に画素群が形成される。
【００３５】
ここで、各画素群に含まれる複数の画素間で転送トランジスタのゲートが共通に接続されている。これにより、転送トランジスタのゲートが画素群に属する画素で一斉に、かつ、画素群間で独立して制御される。
【００３６】
図６に示す例において、Ｇ画素群に含まれる画素Ｇｂ１、Ｇｂ２、Ｇｂ３、Ｇｂ４、Ｇｒ１、Ｇｒ２、Ｇｒ３、Ｇｒ４の転送トランジスタのゲートは共通のＧ転送配線３１０に接続されている。同様に、Ｒ画素群の画素Ｒ１、Ｒ２、Ｒ３、Ｒ４の転送トランジスタのゲートは共通のＲ転送配線３１２に接続され、Ｂ画素群の画素Ｂ１、Ｂ２、Ｂ３、Ｂ４の転送トランジスタのゲートは共通のＢ転送配線３１４に接続されている。
【００３７】
また、各画素群に含まれる複数の画素間で選択トランジスタのソースが共通に接続されている。Ｇ画素群の画素Ｇｂ１、Ｇｂ２、Ｇｂ３、Ｇｂ４、Ｇｒ１、Ｇｒ２、Ｇｒ３、Ｇｒ４の選択トランジスタのソースは共通のＧ出力配線３２０に接続されている。同様に、Ｒ画素群の画素Ｒ１、Ｒ２、Ｒ３、Ｒ４の選択トランジスタのソースは共通のＲ出力配線３２２に接続され、Ｂ画素群の画素Ｂ１、Ｂ２、Ｂ３、Ｂ４の選択トランジスタのソースは共通のＢ出力配線３２４に接続されている。
【００３８】
Ｇ出力配線３２０には負荷電流源３１１が接続される。同様に、Ｒ出力配線３２２には負荷電流源３１３が接続されるとともに、Ｂ出力配線３２４には負荷電流源３１５が接続される。なお、リセット配線３２６および電源配線３１６は単位グループ１３１で共通である。また、選択配線３１８は、各画素に一対一に１６本配され、対応する選択トランジスタのゲートに接続されている。
【００３９】
このように、一の単位グループ１３１に対して複数の出力配線が設けられることになる。しかし、撮像チップ５１３は裏面照射型なので、ＰＤ５０４に入射する光量を減らすことなく、撮像チップ５１３の配線５０７の層数を増やして、面方向の大きさを大きくすることなく配線を引き回すことができる。
【００４０】
本実施形態では、撮像素子１３が上記構成を有することで、各画素群において、フレームレート、ゲイン、蓄積時間等の撮像条件を変更することができる。
【００４１】
図１に戻り、背面撮像部１４は、いわゆるアウトカメラであり、図２（ｂ）に示すように、電話機器１０の背面側に設けられている。背面撮像部１４は、前面撮像部１２と同様、撮影レンズと、国際公開第２０１３／１４５７５３号に開示されているような各画素（画素群）の撮像条件を制御可能な撮像素子１１３（図１０参照）と、を有する。
【００４２】
ディスプレイ１６は、例えば液晶ディスプレイであり、例えば、ユーザが電話機器１０を操作するための操作画面、ユーザに情報を提供するための情報提供画面、ユーザがテレビ電話機能を利用する際のテレビ電話画面等を表示する。
【００４３】
スピーカ１８は、例えば、図２（ａ）のディスプレイ１６の上側に配置され、制御部３０の指示の下、音声を出力する。マイク２０は、例えば、図２（ａ）のディスプレイ１６の下側に配置され、周囲の音声を集音する。
【００４４】
タッチパネル２２は、ディスプレイ１６上に組みつけられており、ユーザから各種入力を受け付ける。
【００４５】
記憶部２３は、例えば不揮発性のフラッシュメモリを有し、各種プログラムのほか、アドレス帳のテーブルや、ユーザのスケジュールデータなどの各種情報を記憶する。
【００４６】
通信部２４は、電話回線等を介して、他の機器（例えば、電話機器１１０）と通信を行うものであり、例えば、他の電話機器１１０との通話、テレビ電話、インターネットへの接続、インターネットを介したその他の情報処理装置との通信を可能にする。
【００４７】
制御部３０は、ＣＰＵ（Central Processing Unit）、ＲＡＭ（Random Access Memory）、ＲＯＭ（Read Only Memory）等を備え、電話機器１０全体を制御する。本実施形態において、制御部３０は、例えば、ユーザがテレビ電話を利用するときに、他の機器（例えば、電話機器１１０）から設定情報を受け付けると、該設定情報に基づいて前面撮像部１２及び／又は背面撮像部１４の撮像条件の設定を行う。また、制御部３０は、例えば、ユーザから他の機器（例えば、電話機器１１０）の設定情報の入力を受け付けると、通信部２４を介して該設定情報を他の機器に送信する。
【００４８】
（電話機器１１０）
電話機器１１０は、図１に示すように、上述した電話機器１０と同様の構成を有する。なお、図１等では、電話機器１１０の構成各部の符号として、電話機器１０の構成各部の符号の百の位に１を付加した符号を採用している。
【００４９】
（電話機器１０、１１０の通話に関する処理について）
次に、電話機器１０、１１０間における通話（テレビ電話、音声通話）時の処理について、図７〜図１３に基づいて説明する。
【００５０】
図７は、電話機器１０、１１０間における通話時の処理を示すフローチャートである。本説明においては、電話機器１０から電話機器１１０に対して発信する場合について説明する。
【００５１】
図７の処理では、まず、ステップＳ１０において、制御部３０は、電話機器１０のユーザ（ユーザＡとする）が、電話機器１０において通話相手の情報を入力するまで待機する。この場合、ユーザＡは、タッチパネル２２を用いて通話相手の電話番号を入力したり、アドレス帳のテーブルから通話相手を選択するなどして通話相手の情報を入力する。ユーザＡから通話相手の情報が入力されると、ステップＳ１２に移行する。
【００５２】
ステップＳ１２に移行すると、制御部３０は、通話方式がテレビ電話であるか否かを判断する。すなわち、ユーザＡが通話相手の情報を入力した後にテレビ電話による通話を選択したか否かを判断する。このステップＳ１２の判断が否定された場合、すなわち音声通話が選択された場合には、制御部３０は、ステップＳ１３に移行する。ステップＳ１３に移行すると、制御部３０は、通話要求を通話相手の電話機器に発信する。ここでは、制御部３０は、ユーザＢが利用する電話機器１１０に対して通話要求を発信したものとする。
【００５３】
一方、電話機器１１０では、制御部１３０は、ステップＳ１１０において通話要求を受信するまで待機している。したがって、電話機器１０側においてステップＳ１３が行われると、制御部１３０は、ステップＳ１１２に移行する。ステップＳ１１２に移行すると、制御部１３０は、受信画面を表示する。なお、受信画面には、図８（ａ）に示すように、通話要求を発信した電話機器の電話番号、ユーザ名、通話開始ボタンが含まれている。
【００５４】
次いで、ステップＳ１１４では、制御部１３０は、ユーザＢによって通話開始ボタンが押されるまで待機する。ユーザＢによって通話開始ボタンが押されると、ステップＳ１１６に移行し、制御部１３０は、通話方式がテレビ電話か否かを判断する。このステップＳ１１６における判断が否定された場合には、ステップＳ１１８に移行し、通話処理を実行する。なお、電話機器１０側においても、電話機器１１０側においてステップＳ１１８が実行されるのと同一のタイミングで、ステップＳ１４の通話処理が実行される。なお、ステップＳ１１８、Ｓ１４の通話処理は、一般的な電話機器間の音声通話処理と同一であるので、その説明は省略する。
【００５５】
その後は、制御部３０、１３０は、電話機器１０、１１０においてユーザが通話を終了するまで（例えばディスプレイ１６，１１６上の通話終了ボタンを押すまで）通話処理を実行する。そして、通話が終了された段階（Ｓ１６、Ｓ１２０：肯定）で、制御部３０、１３０は、通信を切断し（Ｓ１８，Ｓ１２２）、図７の全処理を終了する。
【００５６】
これに対し、ステップＳ１２の判断が肯定された場合、すなわち、ユーザＡが通話方式としてテレビ電話を選択した場合には、制御部３０は、ステップＳ２０に移行する。ステップＳ２０では、制御部３０は、ディスプレイ１６上に設定画面を表示する。設定画面は、具体的には、図８（ｂ）に示すような、設定内容と通話開始ボタンとを含む画面であるものとする。図８（ｂ）の設定画面では、例えば、相手による設定を許可（する／しない）において、通話相手からの撮像に関する設定情報を受信した場合に、その設定を許可するか否かを選択することができる。また、顔の解像度（高／中／低）においては、ユーザＢの電話機器１１０において撮像される範囲に顔が含まれていた場合に、その顔が含まれる領域の解像度を指定することができる。また、顔以外の表示（する／しない）においては、撮像された顔以外の領域を表示するか否かを選択することができ、顔拡大（する／しない）においては、顔以外の表示をしない場合に、顔を拡大して表示するか否かを選択することができる。また、文字情報の表示（する／しない）においては、電話機器１１０のユーザＢの音声認識を実行して、ユーザＢが話した内容を文字情報として表示するか否かを選択することができる。更に、撮像部（前面／背面／両方）においては、電話機器１１０において、前面撮像部１１２と背面撮像部１１４のいずれの撮像画像を見たいか、あるいは両撮像部１１２、１１４の撮像画像を合成した画像を見たいか、を選択することができる。
【００５７】
図８（ｂ）のような設定画面を表示した後は、制御部３０は、ステップＳ２２において、通話開始ボタンが押されるまで待機する。そして、ユーザＡが設定画面において選択を行い、通話開始ボタンを押すと、制御部３０は、ステップＳ２４に移行する。
【００５８】
ステップＳ２４では、制御部３０は、通話相手の電話機器（ユーザＢの電話機器１１０）に対して通話要求を発信する。その後は、制御部３０は、ステップＳ２６において、電話機器１１０からの応答があるまで待機する。
【００５９】
一方、電話機器１１０側においては、制御部１３０が通話要求を受信すると（ステップＳ１１０：肯定）、ステップＳ１１２、Ｓ１１４を前述と同様に実行し、ステップＳ１１６において、通話方式がテレビ電話か否かを判断する。このステップＳ１１６の判断が肯定されると、ステップＳ１２４に移行し、制御部１３０は、設定画面を表示する。この場合の設定画面は、図８（ｂ）と同様の設定画面であるものとするが、通話開始ボタンに代えて、設定終了ボタンが設けられているものとする。
【００６０】
この設定画面において、ユーザＢが設定内容を決定し、設定終了ボタンを押すと（ステップＳ１２６：肯定）、制御部１３０は、ステップＳ１２８において、電話機器１０に対する応答処理を実行する。この応答処理を実行した後は、制御部１３０は、ステップＳ１３０のテレビ電話通話処理のサブルーチンを実行する。一方、電話機器１０では、電話機器１１０側から応答があった場合（Ｓ２６：肯定）、ステップＳ２８のテレビ電話通話処理のサブルーチンを実行する。
【００６１】
以下、ステップＳ２８、Ｓ１３０の詳細について、図９のフローチャートに沿って説明する。なお、ステップＳ２８、Ｓ１３０の各処理は、同一の処理であるため、ここでは、電話機器１１０の制御部１３０による処理（ステップＳ１３０）を例にとり説明する。
【００６２】
図９の処理では、まず、ステップＳ１５０において、制御部１３０は、撮像に関する設定情報（ステップＳ１２４で説明した設定画面上で入力された情報）を通信部１２４を介して電話機器１０の制御部３０に送信する。
【００６３】
次いで、ステップＳ１５２では、制御部１３０は、撮像に関する設定情報を電話機器１０側から受信するまで待機し、受信した段階で、ステップＳ１５４に移行する。ステップＳ１５４に移行すると、制御部１３０は、相手による設定を許可しているか否かを判断する。すなわち、図８（ｂ）の設定画面において、相手（ユーザＡ）による設定を許可（する／しない）のうち、「する」にチェックが入れられたか否かを判断する。ここでの判断が否定された場合には、ステップＳ１６２に移行するが、肯定された場合には、ステップＳ１５６に移行する。
【００６４】
ステップＳ１５６に移行した場合、制御部１３０は、撮像条件を設定する。例えば、電話機器１０において、図８（ｂ）に示すような設定情報が入力された場合には、当該設定に従った撮像を行うように撮像条件を設定する。図８（ｂ）の場合、撮像部として「前面撮像部１１２」を利用し、顔の解像度が「高」に設定されているので、図１０に示すように、前面撮像部１１２の撮像素子１１３の各画素において、顔を撮像している領域（第１撮像領域）１１３ａの解像度が他の領域（第２撮像領域）１１３ｂよりも高くなるように撮像条件を設定する。この場合、制御部１３０は、第１撮像領域１１３ａの間引き率を第２撮像領域１１３ｂの間引き率よりも小さくする。また、第１撮像領域１１３ａのフレームレートを第２撮像領域１１３ｂのフレームレートよりも小さくすることもできる。
【００６５】
次いで、ステップＳ１５８では、制御部１３０は、撮像及び顔認識を実行する。この場合、制御部１３０は、撮像結果から顔認識を行い、顔を含む範囲を特定する。
【００６６】
次いで、ステップＳ１６０では、制御部１３０は、顔認識結果に基づいて第１撮像領域１１３ａをどの範囲に設定するかを特定し、特定した第１撮像領域１１３ａの間引き率やフレームレートを設定する。なお、第１撮像領域１１３ａの位置や大きさは、顔の動きに追従して変化する。
【００６７】
次いで、ステップＳ１６２では、制御部１３０は、設定情報に基づいて、撮像された画像から電話機器１０に送信する画面を作成し、作成した画面と音声の送受信を開始する。すなわち、テレビ電話による通話を開始する。ここで、図８（ｂ）に示すように、顔以外の表示を「しない」、顔拡大を「する」、文字情報の表示を「する」に設定していた場合には、制御部１３０は、画面として、図１１（ａ）に符号Ｇで示す画面を作成して電話機器１０（制御部３０）に送信する。なお、文字情報「元気？」は、制御部１３０がユーザＢの音声を認識した結果を表示したものである。なお、文字情報としては、通話時間や通話料金等の情報を表示することとしてもよい。
【００６８】
画面Ｇを受信した制御部３０は、ディスプレイ１６に図１１（ａ）に示すようなテレビ電話画面を表示する。なお、図１１（ａ）のテレビ電話画面には、画面Ｇの他、電話機器１０の前面撮像部１２において撮像され、制御部３０により作成された画面Ｈ（Ｓ１６２）や、設定ボタン、通話終了ボタンが含まれている。ここで、図１１（ａ）のように顔を拡大表示する場合であっても、顔の解像度が「高」に設定されていれば、ディスプレイ１６上において、ユーザＢの顔を鮮明に表示することができる。
【００６９】
なお、図８（ｂ）の設定画面において、顔以外の表示を「しない」、顔拡大を「しない」、文字情報の表示を「する」に設定していた場合には、テレビ電話画面として、図１１（ｂ）に示す画面が表示される。ここで、図１１（ａ）、図１１（ｂ）の画面がディスプレイ１６上に表示される場合、制御部１３０は、電話機器１１０の前面撮像部１１２では、顔以外の領域（第２撮像領域１１３ｂ）の撮像を行わないように設定してもよい。ただし、顔の動きに第１撮像領域１１３ａを追従させるため、第１撮像領域１１３ａの周囲の所定範囲については、撮像を行うようにしてもよい。この場合、当該所定範囲内においては、解像度を第１撮像領域１１３ａよりも低く設定して撮像するようにしてもよい。このように、必要に応じて撮像する範囲を減らしたり、解像度を低くしたりすることで、制御部１３０の処理量を低減させることができるため、通信負荷、消費電力、電池消耗等の低減を図ることが可能となる。
【００７０】
また、図８（ｃ）の設定画面において、顔以外の表示を「する」、顔拡大を「しない」、文字情報の表示を「する」に設定していた場合には、テレビ電話画面として、図１２（ａ）に示す画面が表示される。さらに、図８（ｂ）の設定画面において、顔以外の表示を「する」、顔拡大を「しない」、文字情報の表示を「しない」に設定していた場合には、テレビ電話画面として、図１２（ｂ）に示す画面がディスプレイ１６に表示される。この場合においても、相手の顔をはっきり表示したいときに顔の範囲の解像度を上げることができるため、ユーザの視認性、使い勝手を向上することができる。また、顔以外の領域（第２撮像領域１１３ｂ）の解像度を下げることで、制御部１３０の処理量を低減させることができる。なお、第１撮像領域１１３ａと第２撮像領域１１３ｂにおけるフレームレートが異なる場合には、一方の撮像領域で撮像が行われたタイミングにおいて他方の撮像領域で撮像が行われていない場合がある。このような場合には、一方の撮像領域の撮像画像と他方の撮像領域の直近の撮像画像とを合成するようにすればよい。
【００７１】
また、図８（ｂ）の設定画面において、顔以外の表示を「しない」、顔拡大を「する」、文字情報の表示を「しない」、撮像部の「両方」を使用する、に設定していた場合には、テレビ電話画面として、図１３に示す画面が作成され、ディスプレイ１６に表示される。この図１３の画面では、背面撮像部１１４で撮像された画像Ｉ（ユーザＢの周辺の風景の画像）と、前面撮像部１１２で撮像された画像Ｊ（ユーザＢの画像）とが合成された状態で表示される。
【００７２】
図９に戻り、制御部１３０は、ステップＳ１６２の後、ステップＳ１６４において、設定ボタンが押されたか否かを判断する。ユーザＢは、設定を変更したい場合には、設定ボタンを押す。このように設定ボタンが押されると、ステップＳ１６４の判断が肯定され、制御部１３０は、ステップＳ１６６において、設定画面を表示する。なお、この場合の設定画面は、図８（ｂ）と同様であるが、通話開始ボタンに代えて設定変更ボタンが設けられているものとする。
【００７３】
この設定画面においてユーザＢが設定を変更し設定変更ボタンを押すと（Ｓ１６８：肯定）、制御部１３０は、ステップＳ１７０において、変更された設定を通信部１２４を介して電話機器１０に送信する。次いで、ステップＳ１７２では、制御部１３０は、通話終了ボタンが押されたか否かを判断し、このステップＳ１７２の判断が否定されると、ステップＳ１６４に戻る。
【００７４】
一方、ステップＳ１６４の判断が否定された場合、すなわち、設定ボタンが押されていない場合には、ステップＳ１７４に移行し、制御部１３０は、電話機器１０側から設定情報（ユーザＡが設定を変更したという情報）を受信したか否かを判断する。このステップＳ１７４の判断が否定された場合には、ステップＳ１７２に移行するが、肯定された場合には、ステップＳ１７６に移行する。
【００７５】
ステップＳ１７６に移行すると、制御部１３０は、設定において、相手による設定を許可しているか否かを判断する。このステップＳ１７６の判断が否定された場合には、ステップＳ１７２に移行するが、肯定された場合には、ステップＳ１７８に移行する。ステップＳ１７８に移行した場合、制御部１３０は、電話機器１０においてユーザＡによって変更された設定を反映させる（記憶部１２３に格納されている設定情報を更新する）。その後は、ステップＳ１７２に移行する。
【００７６】
その後、ステップＳ１６４〜Ｓ１７８の処理・判断を繰り返し、ステップＳ１７２の判断が肯定されると、制御部１３０は、ステップＳ１８０に移行する。ステップＳ１８０では、制御部１３０は、電話機器１０との通信（通話）を切断し、図９及び図７の全処理を終了する。なお、前述したように、電話機器１０においても図９の処理が同時並行的に実行される（Ｓ２８）。
【００７７】
なお、制御部１３０（３０）は、ステップＳ１６４〜Ｓ１７２の処理を行っている間に、ユーザからのテレビ電話画面への入力をタッチパネル１２２（２２）を介して受け付けるようにしてもよい。すなわち、例えば、図１２（ｂ）の画面上でタッチパネル１２２がユーザＢによる入力（ここでは、一例としてピンチアウト動作とする）を受け付けた場合には、ピンチアウトされた部分を拡大して表示するようにしてもよい。この場合、ピンチアウト動作が行われたという情報は、設定が変更された場合（Ｓ１６６〜Ｓ１７０）と同様、制御部３０が相手側の電話機器１１０の制御部１３０に対して送信するようにすればよく、相手側の制御部１３０は、当該ピンチアウト動作の情報に基づいて、画面を作成するようにすればよい。また、例えば、ユーザが明るさを変えた箇所を指定した場合には、当該箇所が明るく表示されるようにしてもよい。この場合、制御部３０は箇所の指定情報を相手側の制御部１３０に対して送信し、相手側の制御部１３０が、指定された箇所を撮像する画素（画素群）のゲインを他の素子よりも上げたり、指定された箇所を撮像する画素（画素群）の電荷蓄積時間を他の素子よりも長くしたりすればよい。また、ユーザが画面全体を明るくする旨の指示を入力した場合には、その旨を制御部３０が制御部１３０に送信し、制御部１３０が、不図示の閃光装置（フラッシュ）を制御して発光させるようにしてもよい。
【００７８】
なお、本実施形態では、例えば、ユーザＡが相手による設定を許可しない設定としている場合には、ユーザＡがユーザＢに送信する自身の画像の設定を図８（ｂ）と同様の設定画面上にて行うこととしてもよい。これにより、ユーザＡは、ユーザＢの電話機器１１０に表示される画面を自分でカスタマイズすることができる。例えば、ユーザＡが自己の周辺を見せたくない場合には、図１１（ｂ）のような画面表示になるように設定を行えばよい。
【００７９】
以上、詳細に説明したように、本第１の実施形態によると、電話機器１１０は、第１撮像領域１１３ａ及び第２撮像領域１１３ｂを有する撮像部１１２又は１１４と、相手方の電話機器１０から設定情報を取得する通信部１２４と、通信部１２４が取得した設定情報に基づいて、第１撮像領域１１３ａの撮像条件と第２撮像領域１１３ｂの撮像条件との少なくとも一方を設定する制御部１３０と、を備えているので、相手方の電話機器１０を利用するユーザＡが入力した設定情報に基づいて、電話機器１１０における撮像条件を変更することができる。これにより、電話機器１１０が撮像した画像に対して、該画像を表示する電話機器１０のユーザＡの好みを反映させることができるので、ユーザの使い勝手を向上することができる。
【００８０】
また、本第１の実施形態では、制御部１３０は、ユーザＢが設定画面（図８（ｂ））において設定した情報に基づいて、設定情報に基づく撮像条件の設定を制限する（Ｓ１５４：否定の場合）。これにより、相手方（ユーザＡ）がユーザＢの利用する電話機器１１０の撮像条件を一方的に変更できないようにすることができる。
【００８１】
また、本第１の実施形態では、通信部１２４は、撮像部１１２又は１１４により撮像された画像を電話機器１０に送信するので、ユーザＡは自身の好みが反映された画像を見ることができる。
【００８２】
また、本第１の実施形態では、電話機器１１０が前面撮像部１１２と背面撮像部１１４とを備えており、制御部１３０は、通信部１２４を介して、両撮像部１１２，１１４で撮像された画像を合成して、電話機器１０に送信することができる（図１３参照）。これにより、ユーザＡは、電話機器１１０の前面側と背面側の画像を同時に見ることができる。
【００８３】
また、本第１の実施形態では、制御部１３０は、電話機器１０に送信し、電話機器１０において表示された画像に対して入力された操作情報（ピンチアウト動作など）を受け付けるので、ユーザＡにより画像に対して入力された操作情報を反映させた画像を電話機器１０に送信することができる。
【００８４】
また、本第１の実施形態では、電子機器システム１００は、同一の機能を有する電話機器１０，１１０間でテレビ電話を行うシステムであるので、発信側のユーザ及び受信側のユーザのそれぞれが、相手方の撮像部の設定を行うことができる。ただし、これに限らず、いずれか一方の電話機器において相手方の撮像部の設定を行うことができなくてもよい。
【００８５】
なお、上記第１の実施形態では、テレビ電話の設定情報の入力を通話開始直前に行う場合について説明したが、これに限らず、設定情報の入力は、事前に行っておいてもよい。また、制御部３０，１３０は、テレビ電話を終了したときの設定情報を記憶部２３，１２３に記憶しておき、次回テレビ電話を行う際に記憶しておいた設定情報を読み出すこととしてもよい。
【００８６】
なお、上記第１の実施形態では、ユーザＢの音声認識及び文字情報の表示を、ユーザＢの利用する電話機器１１０の制御部１３０が行う場合について説明したが、これに限らず、相手方の電話機器１０の制御部３０がユーザＢの音声認識及び文字情報の表示を行うこととしてもよい。
【００８７】
なお、上記第１の実施形態では、一方の電話機器がインターホンの室内設置機器で、他方の電話機器がインターホンの室外設置機器であってもよい。この場合、室内設置機器上でユーザが設定した設定情報を室外設置機器に送信し、該設定情報に基づいて、室外設置機器の制御部が撮像素子の第１撮像領域と第２撮像領域の少なくとも一方の撮像条件を変更するようにしてもよい。これにより、上記第１の実施形態と同様の効果を得ることができる。
【００８８】
なお、上記第１の実施形態では、２つの電話機器間におけるテレビ電話について説明したが、これに限らず、ＰＣ（Personal Computer）及びＷＥＢカメラを用いたテレビ電話においても、適用することができる。
【００８９】
《第２の実施形態》
以下、第２の実施形態について、図１４〜図１９に基づいて、説明する。
【００９０】
図１４には、本第２の実施形態における電子機器システムの使用態様の一例が示されている。図１４に示すように、本第２の実施形態では、ユーザＡが利用する電話機器１０と、ユーザＢが保持し、ユーザＢ〜ユーザＥが利用する電話機器１１０との間でテレビ電話による通話を行うものとする。すなわち、本第２の実施形態では、１人対多数人（図１４では１人対４人）によるテレビ電話が行われるものとする。
【００９１】
なお、本第２の実施形態では、基本的には、第１の実施形態の処理（図７、図９）と同様の処理が行われるが、各電話機器１０，１１０における設定情報の内容が異なっている。
【００９２】
図１５（ａ）には、ユーザＡが利用する電話機器１０に表示される設定画面（図７のステップＳ２０）の一例が示されている。図１５（ａ）の設定画面では、例えば、相手による設定を許可（する／しない）において、通話相手からの撮像に関する設定情報を受信した場合に、その設定を許可するか否かを選択することができる。また、顔の解像度（高／中／低／距離に応じて）においては、電話機器１１０において撮像される範囲に顔が含まれていた場合に、その顔が含まれる領域の解像度を選択することができる。また、撮像部（前面／背面／両方）においては、電話機器１１０において、前面撮像部１１２と背面撮像部１１４のいずれの撮像画像を見たいか、あるいは両撮像部１１２、１１４の撮像画像を合成した画像を見たいか、を選択することができる。また、相手が複数人の場合（優先者表示する／優先者表示しない）においては、相手の電話機器１１０が複数人を撮像している場合に、そのうちの優先者を明示的に表示するか否かを設定することができる。また、優先者は（前面側の人／しゃべっている人／選択した人）においては、優先者をどのように定めるかを選択することができる。なお、図１５（ａ）には図示されていないが、設定画面において、その他の情報、例えば優先者の表示方法や、文字情報を表示するか否かなどを設定することができてもよい。
【００９３】
なお、電話機器１０では、ユーザＡが、図１５（ａ）に示すような設定情報の入力を行ったものとする。
【００９４】
図１５（ｂ）には、ユーザＢ〜Ｅが利用する電話機器１１０に表示される設定画面（図７のステップＳ１２４）の一例が示されている。本実施形態では、電話機器１１０のユーザＢが、図１５（ｂ）に示すような設定情報の入力を行ったものとする。
【００９５】
なお、本第２の実施形態では、電話機器１０と電話機器１１０との間でテレビ電話が開始されると、電話機器１０には、図１７（ａ）に示すような画面が表示される。図１７（ａ）の画面には、電話機器１０を利用するユーザＡの画像が表示されるとともに、電話機器１１０を利用するユーザＢ〜Ｅの顔画像が同一の大きさの枠内に表示されるようになっている。また、図１７（ａ）の画面には、第１の実施形態（図１１（ａ））と同様、設定ボタン及び通話終了ボタンが表示される。
【００９６】
ここで、図１５（ａ）に示すように、設定画面において、顔の解像度として「距離に応じて」が選択された場合の、制御部１３０による撮像素子１１３の制御方法について説明する。例えば、図１４において破線で示すように、電話機器１１０の背面撮像部１１４がユーザＣ〜Ｅを撮像している場合、背面撮像部１１４が有する撮像素子１１３には、ユーザの顔を含む矩形領域（第１撮像領域）１１３ａｃ，１１３ａｄ，１１３ａｅを設定することができる。この場合、領域の大きさが大きいほど、電話機器１１０からの距離が近く、小さいほど電話機器１１０からの距離が遠いと推定される。したがって、本実施形態では、制御部１３０は、領域の大きさが大きいほど（距離が近いほど）その領域の解像度を低くし、領域の大きさが小さいほど（距離が遠いほど）その領域の解像度を高く設定する。このようにすることで、図１７（ａ）に示すように各領域（ユーザＣ〜Ｅの顔）を同一の大きさの表示枠内に表示するような場合でも、各ユーザＣ〜Ｅの顔の鮮明度合いを均一（ほぼ均一）にすることができる。なお、前面撮像部１１２においても、ユーザＢの顔を含む第１撮像領域の解像度を、距離に応じて設定すれば、ユーザＢの顔の鮮明度合いと、ユーザＣ〜Ｅの顔の鮮明度合いとを同一（ほぼ同一）にすることができる。なお、制御部１３０は、第１の実施形態と同様、顔以外の領域（第２撮像領域１１３ｂ）の解像度を低く設定したり、撮像を行わないようにすることができる。これにより、消費電力を低減することができる。
【００９７】
本第２の実施形態では、テレビ電話が開始されると、電話機器１１０の制御部１３０は、図１７（ａ）に示すような画面Ｇ’を作成し、電話機器１０の制御部３０に送信する（図９のステップＳ１６２）。これにより、電話機器１０のディスプレイ１６には図１７（ａ）に示すような画面が表示されるので、ユーザＡは、相手側のユーザＢ〜Ｅの顔を見ながら通話をすることができる。この場合、電話機器１１０からの距離に応じた解像度で各ユーザの顔が撮像されるため、ユーザＡは、ユーザＢ〜Ｅの顔を均一の鮮明度で見ることができる。
【００９８】
ところで、図１５（ａ）の設定画面において、ユーザＡにより、相手が複数人の場合に「優先者表示する」が選択され、優先者は「前面側の人」が選択されたものとする。この場合、制御部１３０は、図１７（ｂ）に示すような画面Ｇ”を作成し、制御部３０に送信するので、ディスプレイ１１６には、前面側の人（ユーザＢ）が他のユーザよりも大きく表示されるようになっている。この場合、制御部１３０は、顔を表示する表示枠の大きさと、顔と電話機器１１０との間の距離と、を考慮して、各第１撮像領域の解像度を設定することができる。例えば、制御部１３０は、顔を表示する表示枠内のデータ量が全て一致するように、各第１撮像領域の解像度を設定することができる。これにより、各表示枠内に表示される顔の鮮明度を均一にすることができる。
【００９９】
なお、ユーザの設定にもよるが、優先者表示においては、図１８（ａ）に示すように、優先者の表示枠を他の表示枠よりも太線にて表示してもよい。また、図１５（ａ）の設定画面において、ユーザＡにより、優先者は「しゃべっている人」が選択された場合には、制御部１３０は、各ユーザの口の動きに基づいて、しゃべっている人を特定し、特定された人の表示枠を図１８（ｂ）に示すように太線で表示したり、図１７（ｂ）に示すように、大きく表示したりしてもよい。
【０１００】
また、例えば、図１５（ａ）の設定画面において、ユーザＡにより、優先者は「選択した人」が選択された場合には、制御部３０は、図１７（ａ）の画面において、ユーザＡがタッチした表示枠の情報を取得し、制御部１３０に送信する。この場合、制御部１３０は、受信した情報に基づいて、タッチした表示枠を優先表示した画面を作成し、制御部３０に送信すればよい。
【０１０１】
また、制御部１３０は、例えば、図１９に示すように、どのユーザが電話機器１１０の前面側に位置し、どのユーザが電話機器１１０の背面側に位置しているかを表示する文字を付記した画面を制御部３０に送信するようにしてもよい。
【０１０２】
なお、制御部１３０は、優先者については、他のユーザよりも高い解像度で（又は鮮明度が高くなるように）撮像するように撮像条件を設定してもよい。これにより、優先度の高いユーザの表情を他のユーザよりも鮮明に表示することができる。
【０１０３】
以上、説明したように、本第２の実施形態によると、第１の実施形態と同様の効果が得られるほか、制御部１３０が、第１撮像領域１１３ａｃ〜１１３ａｅの大きさに応じて各第１撮像領域の撮像条件を変更するので、電話機器１０において適切な表示を行うことが可能である。また、制御部１３０は、第１撮像領域の画像を電話機器１０において表示する表示枠の大きさに応じて、第１撮像領域の撮像条件を変更するので、表示枠の大きさを考慮した適切な撮像を行うことができる。
【０１０４】
また、制御部１３０は、優先者をユーザの状態（例えば、しゃべっているなど）に基づいて決定することができる。これにより、所定の状態のユーザ（例えば、しゃべっているユーザ）を目立つように表示することができる。
【０１０５】
なお、上記第２の実施形態では、優先者を１人定める場合について説明したが、これに限らず、優先者を複数人定めてもよい。また、各ユーザに優先順位を定め、優先順位に応じた表示を行うようにしてもよい。優先順位は、ユーザの位置や状態（しゃべっている、声が大きいなど）、ユーザの入力等に基づいて定めることができる。優先順位に応じた表示には、表示枠の大きさ、表示枠の表示位置、付記する文字（優先順位を示す数字）の少なくとも１つが含まれていてもよい。
【０１０６】
また、上記第２の実施形態においても、第１の実施形態と同様、電話機器１０のタッチパネル２２における操作情報に基づいて、制御部１３０が作成する画面を変更することとしてもよい。また、電話機器１０のタッチパネル２２における操作情報に基づいて、制御部１３０が不図示のフラッシュの動作を制御してもよい。
【０１０７】
なお、上記第２の実施形態では、ユーザの顔やユーザの情報を予め記憶部２３，１２３に登録しておき、ユーザの顔認証結果に基づいて、ユーザの情報を画面上に表示するようにしてもよい。この場合、ユーザの情報（例えば役職等）に基づいて、優先順位を決定してもよい。
【０１０８】
なお、上記第２の実施形態では、テレビ電話を１人対多数人で行う場合について説明したが、これに限らず、多数人対多数人でテレビ電話を行う場合にも適用することができる。
【０１０９】
《第３の実施形態》
以下、第３の実施形態の電子機器システムについて、図２０〜図２６に基づいて説明する。
【０１１０】
図２０には、第３の実施形態に係る電子機器システムの使用態様の一例が示されている。本実施形態では、図２０に示すように、電話機器１０を保持するユーザＡが電話機器１０及びカメラ装置２１０を利用して、遠隔地で開催されている会議に参加するためのシステムである。
【０１１１】
図２１には、本実施形態の電子機器システム１０００の構成がブロック図にて示されている。図２１に示すように、電子機器システム１０００は、電話機器１０と、カメラ装置２１０と、を備える。電話機器１０は、第１、第２の実施形態と同様の構成を有する。カメラ装置２１０は、撮像部２１２と、マイク２１３と、スピーカ２１４と、記憶部２１６と、通信部２１８と、制御部２３０とを有する。
【０１１２】
撮像部２１２は、会議室の壁や天井等に固定され、会議室内を撮像する。撮像部２１２は、電話機器１０の前面撮像部１２及び背面撮像部１４と同様の構成を有する。すなわち、撮像部２１２は、国際公開第２０１３／１４５７５３号に開示されているような各画素（画素群）の撮像条件を制御可能な撮像素子を有している。
【０１１３】
マイク２１３は、会議室内の音声を集音する。スピーカ２１４は、電話機器１０のマイク２０が集音したユーザＡの音声を出力する。記憶部２１６は、電話機器１０から入力される設定情報等を格納する。通信部２１８は、電話機器１０の通信部２４と通信し、音声や画像のやり取りを行う。
【０１１４】
制御部２３０は、ＣＰＵ等を有し、カメラ装置２１０を統括的に制御する。
【０１１５】
次に、本第３の実施形態における電子機器システム１０００の処理について説明する。本実施形態の電子機器システム１０００では、図２２に示す設定処理と、図２４に示す会議処理とが実行される。
【０１１６】
（設定処理）
図２２の設定処理は、会議室内を撮像した画像（図２３（ａ）参照）において、どの範囲がホワイトボードであり、どの範囲にユーザが座るかを、電話機器１０を用いてユーザＡが事前に設定する処理である。
【０１１７】
図２２の処理では、まず、ステップＳ２００において、制御部３０が、設定開始要求があるまで待機する。この場合、ユーザＡから設定開始要求が入力された段階で、ステップＳ２０２に移行する。
【０１１８】
ステップＳ２０２に移行すると、制御部３０は、カメラ装置２１０の撮像画像を受信してディスプレイ１６上に表示する。例えば、ディスプレイ１６上には、図２３（ａ）に示すような会議室内を撮像した画像が表示される。
【０１１９】
次いで、ステップＳ２０４では、制御部３０は、ホワイトボード範囲指定要求をディスプレイ１６上に表示する。この表示を見たユーザＡは、ディスプレイ１６に表示されている画像内で、ホワイトボードの範囲（図２３（ｂ）の範囲ＷＢ）を指定する。この場合、ユーザＡは、タッチパネル２２において、ホワイトボードの外縁部を指でなぞることで、範囲を指定することができる。
【０１２０】
次いで、ステップＳ２０６では、制御部３０は、ホワイトボードの範囲が指定されるまで待機し、ユーザＡによって範囲が指定された段階で、ステップＳ２０８に移行する。
【０１２１】
ステップＳ２０８では、制御部３０は、ユーザ存在範囲の指定要求をディスプレイ１６上に表示する。この表示を見たユーザＡは、ディスプレイ１６に表示されている画像内で、会議中にユーザが存在するであろう範囲（図２３（ｂ）の範囲Ｕ１〜Ｕ４）を指定する。この場合、ユーザＡは、例えばタッチパネル２２において指定したい矩形範囲の対角の位置に触れることで、範囲指定することができる。
【０１２２】
次いで、ステップＳ２１０では、制御部３０は、ユーザ存在範囲が指定されるまで待機し、ユーザＡによって指定された段階で、ステップＳ２１２に移行する。
【０１２３】
ステップＳ２１２に移行すると、制御部３０は、通信部２４を介して、ユーザＡによって指定された範囲（ＷＢ、Ｕ１〜Ｕ４）をカメラ装置２１０（制御部２３０）に送信する。なお、制御部２３０は、指定された範囲（ＷＢ、Ｕ１〜Ｕ４）を受信すると、その座標情報を記憶部２１６に記憶する。
【０１２４】
以上により、図２２の設定処理が終了する。
【０１２５】
（会議処理）
次に、会議処理について、図２４のフローチャートに沿って説明する。図２４の処理では、まず、ステップＳ３００において、電話機器１０の制御部３０が、テレビ会議開始の要求がユーザＡから入力されるまで待機し、ユーザＡから入力された段階で、ステップＳ３０２に移行する。
【０１２６】
ステップＳ３０２に移行すると、制御部３０は、通信部２４を介して、会議の開始要求をカメラ装置２１０の制御部２３０に送信する。その後は、制御部３０は、ステップＳ３０４において通信開始処理を実行する。
【０１２７】
一方、カメラ装置２１０の制御部２３０は、ステップＳ４００において、会議の開始要求を受信するまで待機している。したがって、電話機器１０側においてステップＳ３０２が実行されると、制御部２３０は、ステップＳ４０２に移行し、通信開始処理を実行する。
【０１２８】
上記のようにして、電話機器１０とカメラ装置２１０との間の通信が成立すると、制御部３０、２３０は、音声の送受信を開始する（ステップＳ３０５、Ｓ４０３）。この場合、電話機器１０の制御部３０は、マイク２１３で集音された会議室側の音声をスピーカ１８から出力し、カメラ装置２１０の制御部２３０は、マイク２０で集音されたユーザＡの音声をスピーカ２１４から出力する。また、カメラ装置２１０側では、ステップＳ４０４において、制御部２３０が、画像の撮像を開始する。ここで、画像の撮像においては、制御部２３０は、ユーザにより指定された範囲ＷＢ，Ｕ１〜Ｕ４を第１撮像領域とするとともに、範囲ＷＢ，Ｕ１〜Ｕ４とは無関係に動く物体（プレゼンターＰと推定される）を含む範囲を第１撮像領域とし、その他の範囲を第２撮像領域として、第１撮像領域の解像度を第２撮像領域の解像度よりも高く設定する。これにより、ホワイトボード、ユーザＢ〜Ｄ、及びプレゼンターＰを高解像度で撮像することができる。
【０１２９】
その後、カメラ装置２１０では、ステップＳ４０５において、制御部２３０が、ホワイトボード範囲ＷＢを歪曲補正する。具体的には、ホワイトボード範囲ＷＢは、通常、台形形状で撮像されることが多いため、当該台形形状が矩形形状となるように画像を補正し、歪みを低減する。
【０１３０】
次いで、ステップＳ４０６では、制御部２３０は、各範囲（補正後の範囲ＷＢ、及び範囲Ｕ１〜Ｕ４）の画像及びプレゼンターＰの画像を合成して画面を作成し、通信部２１８を介して電話機器１０の制御部３０に送信する。制御部２３０は、その後は、ステップＳ４０８の判断が肯定されるまで、すなわち、通信が切断されるまで、ステップＳ４０５、Ｓ４０６の処理を所定時間間隔で（例えば、１フレームごとに）繰り返す。
【０１３１】
一方、電話機器１０の制御部３０は、ステップＳ３０４の後、ステップＳ３０６において、カメラ装置２１０から画面を受信するまで待機している。したがって、制御部２３０においてステップＳ４０６が実行されたタイミングで、制御部３０は、ステップＳ３０８に移行し、受信した画面を表示する。ここで表示される画面は、例えば、図２５（ａ）に示すようなプレゼンターＰ、ユーザＢ〜Ｅ、補正後のホワイトボードの画像を含む画面であるものとする。なお、図２５（ａ）のような表示を行う場合、第１撮像領域以外の領域（又は第１撮像領域及びその周辺以外の領域）を撮像しなくてもよい。これにより、処理負荷や消費電力を低減することができる。
【０１３２】
ただし、図２５（ａ）の画面に限られるものではなく、ユーザＡによる設定に基づいて、例えば、図２５（ｂ）や図２６に示すような画面を表示することもできる。図２５（ｂ）の画面は、プレゼンターＰとホワイトボードの画像を拡大して示す画面である。このような画面を表示する場合、撮像部２１２が有する撮像素子のうち、プレゼンターＰを撮像する範囲と、ホワイトボードを撮像する範囲の解像度を、他の範囲の解像度よりも高く設定することが好ましい。
【０１３３】
一方、図２６の画面は、図２５（ｂ）の画面のうち、ホワイトボードの画像において制御部２３０が文字認識した結果を、テキストデータとして表示した画面である。ホワイトボードに書かれている文字を認識してテキストデータとして表示することで、ホワイトボードに書かれている内容を読みやすく表示することができる。なお、図２６では、設定処理において、図２３（ｂ）の範囲Ｕ１を指定されなかったため、ユーザＢが表示されていない状態を示している。
【０１３４】
次いで、ステップＳ３１０では、制御部３０は、ユーザＡから終了要求があったか否かを判断し、ここでの判断が否定されると、ステップＳ３０６に戻る。そして、制御部３０は、ユーザＡからの終了要求があるまで、ステップＳ３０６〜Ｓ３１０の処理・判断を繰り返す。
【０１３５】
その後、ユーザＡからの終了要求があると、ステップＳ３１０の判断が肯定されるため、制御部３０は、通信を切断して、図２４の全処理を終了する。
【０１３６】
以上、詳細に説明したように、本第３の実施形態によると、ユーザＡが設定したユーザＢ〜Ｄが存在するであろう範囲やホワイトボードが撮像される範囲（第１撮像領域）の解像度をその他（第２撮像領域）の解像度よりも高く設定するので、ユーザが見たい領域を鮮明に表示することができる。
【０１３７】
また、会議室のように広い範囲を撮像する場合には、撮像部２１２が広角レンズを有する場合がある。特に光軸外の領域ではレンズの湾曲により画像が歪んでしまうが、本第３の実施形態のように画像を補正することで歪みを低減することができる。この場合、補正した範囲に文字が含まれる場合には、当該文字を読みやすく表示することができる。
【０１３８】
なお、上記第３の実施形態では、範囲ＷＢ、Ｕ１〜Ｕ４について、個別に撮像条件を設定してもよい。また、設定処理において、セキュリティ上、撮像したくない範囲を設定できるようにしてもよい。なお、会議において、プレゼンターＰが存在しないような場合には、しゃべっている人の顔を大きく表示するようにしてもよい。
【０１３９】
なお、上記第３の実施形態では、会議室にモニタを設け、該モニタとカメラ装置２１０とを接続してもよい。この場合、制御部２３０は、制御部３０から電話機器１０の前面撮像部１２及び／又は背面撮像部１４で撮像された画像を受信し、モニタに表示するようにしてもよい。
【０１４０】
なお、上記第３の実施形態では、カメラ装置２１０は、撮像部を備えるその他の装置（例えば、ＰＣやスマートフォンなど）であってもよい。
【０１４１】
なお、上記第３の実施形態においても、第１の実施形態と同様、プレゼンターの喋っている内容をテキスト表示するようにしてもよい。また、プレゼンターや会議参加者の画像から顔認識処理を行い、氏名や役職等を画像と併せて表示するようにしてもよい。
【０１４２】
上述した実施形態は本発明の好適な実施の例である。但し、これに限定されるものではなく、本発明の要旨を逸脱しない範囲内において種々変形実施可能である。
【符号の説明】
【０１４３】
１０  電話機器
１１０  電話機器
１１２  前面撮像部
１１３ａ  第１撮像領域
１１３ｂ  第２撮像領域
１１４  背面撮像部
１２４  通信部
１３０  制御部
【図１】
2019004520.tif 000003
【図２】
2019004520.tif 000004
【図３】
2019004520.tif 000005
【図４】
2019004520.tif 000006
【図５】
2019004520.tif 000007
【図６】
2019004520.tif 000008
【図７】
2019004520.tif 000009
【図８】
2019004520.tif 000010
【図９】
2019004520.tif 000011
【図１０】
2019004520.tif 000012
【図１１】
2019004520.tif 000013
【図１２】
2019004520.tif 000014
【図１３】
2019004520.tif 000015
【図１４】
2019004520.tif 000016
【図１５】
2019004520.tif 000017
【図１６】
2019004520.tif 000018
【図１７】
2019004520.tif 000019
【図１８】
2019004520.tif 000020
【図１９】
2019004520.tif 000021
【図２０】
2019004520.tif 000022
【図２１】
2019004520.tif 000023
【図２２】
2019004520.tif 000024
【図２３】
2019004520.tif 000025
【図２４】
2019004520.tif 000026
【図２５】
2019004520.tif 000027
【図２６】
2019004520.tif 000028